(57)【特許請求の範囲】
【請求項１】
指定されているチャンネルのディジタル放送信号を受信する受信手段と、
上記指定されているチャンネルで放送されている番組を録画する録画手段と、
上記受信部で受信しているディジタル放送信号から、上記録画手段で録画している番組のチャンネル情報を抽出するチャンネル情報抽出手段と、
上記チャンネル情報抽出手段が抽出したチャンネル情報に変化があったかどうかを検出するチャンネル情報変化検出手段と、
上記変化検出手段により上記チャンネル情報に変化があったことを検出したときに、上記録画手段が録画している番組にその旨を示すインデックスを付けるインデックス手段と、
上記録画手段が録画した番組を再生する再生手段と、
上記録画手段が録画した番組に付けられているインデックスに基づいて、該番組を編集する編集手段と、を備え、
上記再生手段は、番組の再生時に所定の入力が行われたときに、再生している番組のチャンネル情報を記憶し、チャンネル情報がここで記憶したチャンネル情報と異なる録画データについては、上記インデックス手段が付けたインデックスに基づいてスキップする手段であり、
上記録画手段は、番組の録画時に所定の入力が行われたときに、録画している番組のチャンネル情報を記憶し、チャンネル情報がここで記憶したチャンネル情報と異なる期間、録画動作を一時的に停止する手段であり、
さらに、上記編集手段は、編集する番組について、上記チャンネル情報の変化を時系列に示すブロックに分け、選択されたブロックを削除する手段である、録画装置。
【請求項２】
指定されているチャンネルのディジタル放送信号を受信する受信手段と、
上記指定されているチャンネルで放送されている番組を録画する録画手段と、
上記受信部で受信しているディジタル放送信号から、上記録画手段で録画している番組のチャンネル情報を抽出するチャンネル情報抽出手段と、
上記チャンネル情報抽出手段が抽出したチャンネル情報に変化があったかどうかを検出するチャンネル情報変化検出手段と、
上記変化検出手段により上記チャンネル情報に変化があったことを検出したときに、上記録画手段が録画している番組にその旨を示すインデックスを付けるインデックス手段と、
上記録画手段が録画した番組に付けられているインデックスに基づいて、該番組を編集する編集手段と、を備え、
上記編集手段は、編集する番組について、上記チャンネル情報の変化を時系列に示すブロックに分け、選択されたブロックを削除する手段である、録画装置。
【請求項３】
上記録画手段が録画した番組を再生する再生手段を備え、
上記再生手段は、番組の再生時に所定の入力が行われたときに、再生している番組のチャンネル情報を記憶し、チャンネル情報がここで記憶したチャンネル情報と異なる録画データについては、上記インデックス手段が付けたインデックスに基づいてスキップする手段である請求項２に記載の録画装置。
【請求項４】
上記録画手段は、番組の録画時に所定の入力が行われたときに、録画している番組のチャンネル情報を記憶し、チャンネル情報がここで記憶したチャンネル情報と異なる期間、録画動作を一時的に停止する手段である請求項２または３に記載の録画装置。
【請求項５】
上記録画手段は、番組の録画時に所定の入力が行われたときに、録画している番組のチャンネル情報が変化するまで録画動作を一時的に停止する手段である請求項２または３に記載の録画装置。
【請求項６】
上記録画手段は、上記所定の入力が行われたときに、録画している番組のチャンネル情報と同じチャンネル情報の番組についてすでに録画した部分を削除する手段を有する請求項５に記載に録画装置。
【発明の詳細な説明】
【０００１】
【発明の属する技術分野】
この発明は、ディジタル放送で配信されている番組を受信し、受信した番組を録画する録画装置に関する。
【０００２】
【従来の技術】
従来より、ＡＴＳＣ（Ａｄｖａｎｃｅｄ  Ｔｅｌｅｖｉｓｉｏｎ  Ｓｔａｎｄａｒｄｓ  Ｃｏｍｍｉｔｅｅ）方式等によるディジタル放送が開始されている。ディジタル放送では、１つの物理チャンネルで複数の番組を放送することができる。具体的には、１つの物理チャンネルに複数の仮想チャンネルを形成し、仮想チャンネルごとに番組を放送することができる。このため、ディジタル放送ではその物理チャンネルで放送している番組ごとに、番組を構成する映像や音声のＰＩＤ（Ｐｒｏｇｒａｍ  Ｉｄｅｎｔｉｆｉｃａｔｉｏｎ）情報等をチャンネル情報として各番組のデータとともに配信している。
【０００３】
ディジタル放送を受信する装置（以下、単に受信装置と言う。）では、上記仮想チャンネルにより受信するチャンネルが指定される。
【０００４】
一般的な受信装置は、受信部、フロントエンド、バックエンドを備えている。受信部は、指定されている仮想チャンネルが形成されている物理チャンネルの信号を抽出する、所謂チューナである。フロントエンドは、受信部で抽出された物理チャンネルの信号からチャンネル情報を取得し、指定されている仮想チャンネルで放送されている番組を構成する映像や音声のＰＩＤ情報を得る。また、フロントエンドはここで得たＰＩＤ情報に基づいて、この物理チャンネルの信号から指定されている仮想チャンネルで放送されている番組を構成する映像や音声のデータを抽出したビットストリームを出力する。バックエンドは、フロントエンドの出力である上記ビットストリームを映像信号や音声信号に変換して出力する。バックエンドから出力される映像信号や音声信号は、この受信装置に接続されている出力装置に応じた形式の信号である。例えば、ＮＴＳＣ方式のアナログ信号に変換し出力する。
【０００５】
【発明が解決しようとする課題】
ところで、上記フロントエンドの出力であるビットストリームをハードディスクやＤＶＤ等の記憶媒体に記憶する構成を設け、ディジタル放送で配信されている番組を録画する録画装置があった。
【０００６】
しかしながら、ディジタル放送も従来のアナログ放送と同様に映画等の番組本編の途中にコマーシャルメッセージ（以下、ＣＭと言う。）を挿入している。このため、放送されている番組を録画すると、録画した番組本編に挿入されているＣＭも録画される。
【０００７】
録画した番組を再生して視聴する場合、ＣＭをスキップするユーザが多い。具体的には、再生位置が番組本編からＣＭにかわると早送りを操作を行い、再生位置がＣＭから番組本編にかわる位置に達すると早送りを止めて、再生を再開する。再生位置がＣＭから番組本編にかわる位置に達したかどうかの判断は、画面を見ながらユーザ自身が行う。
【０００８】
また、早送りをやめるのが早すぎたり、または遅すぎたりして、再生を再開した位置がＣＭから番組本編にかわる位置でなかったときには、再度早送り操作を行ったり、または巻き戻し操作を行わなければならなかった。このため、再生時にＣＭをスキップさせる操作が煩雑であり、操作性が良くないとともに、落ち着いて再生している番組を視聴することができないという問題があった。
【０００９】
なお、特開平１１−１６８７５９号、実開平４−８５４４等において、受信した放送波から番組とＣＭとを区別する技術が開示されている。
【００１０】
この発明の目的は、操作性を向上させ、ユーザが録画した番組を落ち着いて視聴することができる録画装置を提供することにある。
【００１１】
【課題を解決するための手段】
この発明の録画装置は、上記課題を解決するために以下の構成を備えている。
【００１２】
（１）指定されているチャンネルのディジタル放送信号を受信する受信手段と、
上記指定されているチャンネルで放送されている番組を録画する録画手段と、
上記受信部で受信しているディジタル放送信号から、上記録画手段で録画している番組のチャンネル情報を抽出するチャンネル情報抽出手段と、
上記チャンネル情報抽出手段が抽出したチャンネル情報に変化があったかどうかを検出するチャンネル情報変化検出手段と、
上記変化検出手段により上記チャンネル情報に変化があったことを検出したときに、上記録画手段が録画している番組にその旨を示すインデックスを付けるインデックス手段と、
上記録画手段が録画した番組に付けられているインデックスに基づいて、該番組を編集する編集手段と、を備え、
上記編集手段は、編集する番組について、上記チャンネル情報の変化を時系列に示すブロックに分け、選択されたブロックを削除する手段である。
【００１３】
この構成では、チャンネル情報抽出手段が録画している番組のチャンネル情報を抽出する。ここで言うチャンネル情報とは、例えば録画しているチャンネルで放送されている番組本編やＣＭの映像および音声を構成するデータのＰＩＤ（Ｐｒｏｇｒａｍ  Ｉｄｅｎｔｉｆｉｃａｔｉｏｎ）情報である。通常、同じチャンネルであっても番組と、ＣＭとではＰＩＤ情報が異なる。例えば、２カ国語放送の番組本編に、単一言語放送のＣＭが挿入されている場合、番組とＣＭとでは音声のＰＩＤ数が異なる。また、映像や音声のＰＩＤ番号が番組とＣＭとで異なる場合もある。
【００１４】
したがって、録画している番組について、ＰＩＤ情報に変化があったとき、放送が番組本編からＣＭまたはＣＭから番組本編に変化している。
【００１５】
チャンネル情報変化検出手段は、このＰＩＤ情報の変化を検出すると録画している番組についてインデックスを付ける。このインデックスには、ＰＩＤ情報の変化があったタイミングの録画位置等が含まれる。
【００１６】
また、編集手段が、編集する番組について、上記チャンネル情報の変化を時系列に示すブロックに分けるので、ユーザが簡単にＣＭ部分を認識することができる。そして、編集手段が、選択されたブロックを削除する編集を行う。したがって、録画した番組からＣＭ部分をカットする編集が簡単に行える。
なお、上記編集手段でＣＭ部分をカットする編集を行っていない番組であっても、録画した番組を再生する際に、上記インデックスを利用することで、ユーザに煩雑な操作を行わせることなく、ＣＭをスキップさせることができる。
【００１７】
（２）上記録画手段が録画した番組を再生する再生手段を備え、
上記再生手段は、番組の再生時に所定の入力が行われたときに、再生している番組のチャンネル情報を記憶し、チャンネル情報がここで記憶したチャンネル情報と異なる録画データについては、上記インデックス手段が付けたインデックスに基づいてスキップする手段である。
【００１８】
上記構成では、ユーザが録画した番組本編の再生時に所定の入力操作を行って、番組本編のＰＩＤ情報を記憶させる。再生手段は、ＰＩＤ情報がこの番組本編のＰＩＤ情報と異なる録画データ、すなわちＣＭの録画データ、をスキップしながら再生する。したがって、ユーザは番組本編の再生時に所定の入力操作を一度だけ行えば、その後自動的にＣＭをスキップしながら再生されるので、落ち着いて視聴することができる。
【００１９】
（３）上記録画手段は、番組の録画時に所定の入力が行われたときに、録画している番組のチャンネル情報を記憶し、チャンネル情報がここで記憶したチャンネル情報と異なる期間、録画動作を一時的に停止する手段である。
【００２０】
上記構成では、ユーザが番組本編の録画時に所定の入力操作を行って、番組本編のＰＩＤ情報を記憶させる。録画手段は、ＰＩＤ情報がこの番組本編のＰＩＤ情報と異なると、録画を停止する。したがって、番組本編のみ録画することができ（ＣＭをカットして録画することができる。）、番組を録画するためのハードディスクやＤＶＤ等の記憶媒体の記憶容量を有効に利用することができる。
【００２１】
（４）上記録画手段は、番組の録画時に所定の入力が行われたときに、録画している番組のチャンネル情報が変化するまで録画動作を一時的に停止する手段である。
【００２２】
上記構成では、ユーザがＣＭの録画時に所定の入力操作を行うことにより、録画動作が一時的に停止される。ここで、一時的に停止された録画動作は、ＰＩＤ情報に変化があったときに再開される。
【００２３】
したがって、ＣＭの録画にかかる記憶容量を抑えることができ、番組を録画するためのハードディスクやＤＶＤ等の記憶媒体を有効に利用することができる。
【００２４】
（５）上記録画手段は、上記所定の入力が行われたときに、録画している番組のチャンネル情報と同じチャンネル情報の番組について、すでに録画した部分を削除する手段を有する。
【００２５】
上記構成では、ユーザが所定の操作を行う前に、すでに録画したＣＭにかかる録画データも削除される。したがって、ＣＭの録画にかかる記憶容量を一層抑えることができ、番組を録画するためのハードディスクやＤＶＤ等の記憶媒体を一層有効に利用することができる。
【００２８】
【発明の実施の形態】
以下、この発明の実施形態である録画装置について説明する。
【００２９】
図１は、この発明の実施形態である録画装置の構成を示す概略のブロック図である。この実施形態の録画装置１は、制御部２、記憶部３、チューナ４、フロントエンド回路５、バックエンド回路６、操作部７、およびリモコン受信部８備えている。制御部２は、本体の動作を制御するＣＰＵ、動作プログラムを記憶したＲＯＭ、動作時に発生したデータを一時的に記憶するＲＡＭ、動作時に使用するパラメータを記憶した不揮発性のメモリ（ＥＥＰＲＯＭ等）等を有している。記憶部３は、番組の録画データをハードディスクやＤＶＤ等の記憶媒体に記憶する。チューナ４は、アンテナ１１で受信したディジタル放送信号から指定されている物理チャンネルの放送信号を取り出す。
【００３０】
ここで、ディジタル放送について簡単に説明しておく。ディジタル放送では、１つの物理チャンネルで複数の番組を放送することができる。具体的には、物理チャンネルに複数の仮想チャンネルを形成し、この仮想チャンネル毎に番組を放送することができる。ディジタル放送は、視聴する番組を上記仮想チャンネルで指定する。
【００３１】
また、ディジタル放送の放送信号には、そのチャンネルで放送している番組のデータだけでなく、ＥＰＧ（Ｅｌｅｃｔｒｉｃ  Ｐｒｏｇｒａｍ  Ｇｕｉｄｅ））、ＶＣＴ（Ｖｉｒｔｕａｌ  Ｃｈａｎｎｅｌ  Ｔａｂｌｅ）、ＰＭＴ（Ｐｒｏｇｒａｍ  Ｍａｐ  Ｔａｂｌｅ）等のデータが含まれている。ＥＰＧは放送予定の番組を示した番組表である。ＶＣＴは、その物理チャンネルにおける仮想チャンネルの構成を示す情報である。このＶＣＴには、仮想チャンネル毎に放送されている番組を構成する映像および音声のＰＩＤ情報が含まれている。また、複数の仮想チャンネルが形成されていない物理チャンネルの放送信号には上記ＶＣＴが存在しない場合がある。しかし、放送されている番組を構成する映像および音声のＰＩＤ情報については上記ＰＭＴに含まれている。このＰＩＤ情報がこの発明で言うチャンネル情報に相当する。ディジタル放送では全ての物理チャンネルにおいて、上記ＰＩＤ情報が配信されている。
【００３２】
上記チューナ４が放送信号を取り出す物理チャンネルは、指定されている仮想チャンネルが形成されている物理チャンネルである。
【００３３】
図２は、チューナ４で取り出された物理チャンネルの受信ストリームを示す図である。ここでは、２つの仮想チャンネル（ｃｈ−ａ、ｃｈ−ｂ）が形成されている物理チャンネルを例にしている。図２において、左側が番組本編放送時に取り出された受信ストリームであり、右側がＣＭ放送時に取り出された受信ストリームである。ＶＣＴには、ｃｈ−ａおよびｃｈ−ｂで放送されている番組（またはＣＭ）を構成する映像および音声のＰＩＤ番号を示すＰＩＤ情報が含まれている。２つの仮想チャンネルｃｈ−ａ、ｃｈ−ｂで放送されている番組は、それぞれ２カ国語放送であり、ＣＭは１ヶ国語放送である。このため、図示するように、番組本編の放送時とＣＭの放送時とではＶＣＴに含まれているＰＩＤ情報が異なっている。具体的には、音声を構成するデータが番組放送時には２種類あるが、ＣＭ放送時には１つである。
【００３４】
また、仮想チャンネル毎に放送されている番組を構成する映像や音声のデータは、所定の長さに分割して配信されている。各データには、ＰＩＤ番号を含むヘッダが付けられている。したがって、ディジタル放送信号に含まれいる映像や音声のデータはヘッダを解析することにより、どの仮想チャンネルで放送されている番組のデータであるのか、また映像を構成するデータであるのか音声を構成するデータであるのか、さらには音声を構成するデータであれば主音声を構成するデータであるのか、副音声を構成するデータであるのか、判断できる。
【００３５】
なお、各データはＭＰＥＧ２等で圧縮されている。
【００３６】
フロントエンド回路５には、チューナ４で取り出した受信ストリームが入力される。フロントエンド回路５は、この受信ストリームからＶＣＴ、および指定されている仮想チャンネルで放送されている番組を構成する映像および音声のデータを取り出し、これらのデータからなるビットストリームをバックエンド回路６に入力する。例えば、上記仮想チャンネルｃｈ−ａが指定されている場合、ＶＣＴ、およびｃｈ−ａで放送されている番組を構成する映像および音声のデータからなるビットストリームを抽出し、出力する。このとき、フロントエンド回路５は、ｃｈ−ｂで放送されている番組を構成する映像および音声のデータについては破棄する。
【００３７】
バックエンド回路６は、入力されたビットストリームをデコードし、ＮＴＳＣ方式の映像信号および音声信号に変換して出力する。バックエンド回路６には、ＮＴＳＣ方式のテレビ受像機等の表示装置１２が接続されている。この表示装置１２において、指定されている仮想チャンネルで放送されている番組が視聴できる。
【００３８】
また、フロントエンド回路５から出力されたビットストリームを記憶部３に記憶させることにより、指定されている仮想チャンネルで放送されている番組の録画が行える。記憶部３は、フロントエンド回路５から出力された上記ビットストリームをハードディスクやＤＶＤ等の記憶媒体に記憶する。
【００３９】
記憶部３は、図３に示すように、フロントエンド回路から出力されたビットストリームを記憶する番組記憶エリア３ａと、番組記憶エリア３ａに記憶した番組毎にタイトルやその記憶位置等を示すインデックス情報を記憶するインデックス記憶エリア３ｂを有している。
【００４０】
操作部７には、本体に対する入力キーが配置されている。またリモコン受信部８は、図示していないリモコン装置から電波や赤外線で送信されてきた制御コードを受信する。
【００４１】
以下、この実施形態の録画装置１の動作について説明する。
【００４２】
図４は、この実施形態の録画装置の録画動作を示すフローチャートである。録画装置１は、録画動作の開始が指示されると図４に示す録画動作を開始する。録画動作の開始指示は、操作部７またはリモコン装置における所定のキー操作により行える。また周知の予約録画により録画動作が開始されることもある。
【００４３】
録画装置１は、録画動作を開始すると、記憶部３のインデックス記憶エリア３ｂに、これから録画する番組の記憶開始位置（記憶部３の番組記憶エリア３ａにおけるビットストリームの記憶開始位置）や、現在のＰＩＤ情報、現在の時間、番組のタイトル等をインデックス情報として記憶する（ｓ１）。その後、フロントエンド回路５から出力されるビットストリームを記憶部３の番組記憶エリア３ａに順次記憶する（ｓ２）。録画装置１は、録画している番組についてＰＩＤ情報に変化があったかどうかを判断し（ｓ３）、ＰＩＤ情報に変化があったときには、インデックス記憶エリア３ｂにその旨のインデックス情報を記憶する（ｓ４）。ｓ４では、ＰＩＤ情報に変化があったときの番組記憶エリア３ａにおける上記ビットストリームの記憶位置や、変化後のＰＩＤ情報、現在の時間等がインデックス情報として記憶される。
【００４４】
録画装置１は、上記ｓ２〜ｓ４の処理を録画動作を終了するタイミングまで繰り返し行う（ｓ５）。録画動作の終了タイミングは、操作部７やリモコン装置において、録画動作の停止を指示するキー操作が行われたときや、予約録画による録画終了時間になったときである。
【００４５】
上記録画動作により、記憶部３の番組記憶エリア３ａに録画した一連の番組（番組本編およびＣＭ）について、インデックス記憶エリア３ｂにＰＩＤ情報が変化したときのインデックス情報が記憶されることになる。すなわち、録画された番組にはＰＩＤ情報の変化を示すインデックス情報が付けられている。
【００４６】
上記のように、一連の番組においてインデックス情報が変化するのは、番組本編からＣＭに変化したときや、逆にＣＭから番組本編に変化したときである。したがって、上記録画動作により番組記憶エリア３ａに記憶した一連のビットストリームにおける番組本編とＣＭとの区切りが、インデックス記憶エリア３ｂに記憶されているインデックス情報から判断できる。
【００４７】
次に、この実施形態の録画装置１の再生動作について説明する。図５は、この実施形態の録画装置の再生動作を示すフローチャートである。録画装置１は、再生動作の開始指示があると、この再生動作を開始する（ｓ１１）。再生動作の開始指示は、操作部７またはリモコン装置における所定のキー操作により開始される。
【００４８】
録画装置１は再生が指示された番組について、インデックス記憶エリア３ｂに記憶されているインデックスを読み出し、番組記憶エリア３ａにおける記憶開始位置を取得し、ここで取得した記憶位置に基づいて番組記憶エリア３ａに記憶されているデータを順次読み出し、バックエンド回路６に入力する。バックエンド回路６は、記憶部３の番組記憶エリア３ａから読み出されたビットストリームが入力される。バックエンド回路６は、入力されたビットストリームをデコードし、ＮＴＳＣ方式の映像信号および音声信号に変換して出力する。ユーザは、バックエンド回路６に接続されている表示装置１２において、記憶部３に記憶されている番組を視聴することができる。
【００４９】
録画装置１は、再生動作時に前方サーチまたは後方サーチの指示の有無を判断している（ｓ１２、ｓ１３）。
【００５０】
前方サーチは、現在の再生位置に対して時間を進めた方向について、ＰＩＤ情報が変化した最も近いビットストリームの記録位置を検出し、再生位置をその位置までスキップする処理である。逆に、後方サーチは現在の再生位置に対して時間を戻した方向について、ＰＩＤ情報が変化した最も近いビットストリームの記録位置を検出し、再生位置をその位置まで戻す処理である。
【００５１】
前方サーチまたは後方サーチの指示は、操作部７またはリモコン装置におけるキー操作で行える。
【００５２】
録画装置１は、前方サーチの指示があったと判断すると、インデックス記憶エリア３ｂに記憶している再生中の番組のインデックス情報に基づいて、現在の再生位置に対して時間的に最も近い前方（時間を進めた方向）のＰＩＤ情報の変化位置まで再生位置を移動させる（ｓ１４）。また、後方サーチの指示があったと判断すると、インデックス記憶エリア３ｂに記憶している再生中の番組のインデックス情報に基づいて、現在の再生位置に対して時間的に最も近い後方（時間を戻した方向）のＰＩＤ情報の変化位置まで再生位置を移動させる（ｓ１５）。
【００５３】
図６を参照しながら、上記前方サーチ、および後方サーチについてより具体的に説明する。図６に示す時間軸の方向に再生が行われているものとする。Ｔ０は番組本編からＣＭに切り替わったタイミングである。Ｔ１において、ユーザがＣＭをスキップするために前方サーチを指示する操作を行うと、録画装置１は現在の再生位置Ｔ１から時間的に進めた方向で、且つ時間的に最も近いＰＩＤ情報の変化位置Ｔ２、すなわちＣＭから番組本編に切りかわったビットストリームの記憶位置を検出する。この変化位置Ｔ２の検出は、インデックス記憶エリア３ｂに記憶されているインデックス情報から得られる。録画装置１は、上記変化位置Ｔ２から再生動作を開始する。すなわち、Ｔ１〜Ｔ２の間については再生することなくスキップする。
【００５４】
このように、ユーザは再生している番組が番組本編からＣＭに切り替わると、前方サーチを指示するキー操作を行うだけで、ＣＭをスキップさせることができる。したがって、ユーザの操作性が向上され、ユーザが落ち着いて番組を視聴することができる。
【００５５】
また、前方サーチを指示する操作を行ったユーザが、何らかの理由でＣＭスキップ後に再生された箇所を見逃すことがある。例えば、Ｔ２〜Ｔ３の間を見逃した場合、ユーザは後方サーチを指示する入力操作を行う。録画装置１は、現在の再生位置Ｔ３から時間的に戻した方向で、且つ時間的に最も近いＰＩＤ情報の変化位置Ｔ２を検出する。この変化位置Ｔ２の検出は、上記前方サーチの場合と同様にインデックス記憶エリア３ｂに記憶されているインデックス情報から得られる。録画装置１は、変化位置Ｔ２から再生を開始する。
【００５６】
したがって、ユーザは再生中に見逃した箇所も簡単に戻して視聴することができる。これにより、ユーザの操作性の一層の向上が図れる。
【００５７】
録画装置１は、ｓ１６で再生終了の指示があったと判断するまで、上記ｓ１１〜ｓ１５の処理を繰り返す。
【００５８】
このように、この実施形態の録画装置１は、再生位置がＣＭになったときに、前方サーチを指示する入力操作を行うだけで、ＣＭをスキップしながら録画した番組を視聴することができる。
【００５９】
また、上記再生動作を図７に示す動作に置き換えてもよい。図７に示す再生動作について説明する。録画装置１は、再生動作の開始指示があると、この再生動作を開始する。録画装置１はｓ２１で再生動作を開始すると、フィルタリング指示、または再生動作終了指示の有無を判断する（ｓ２２、ｓ２３）。
【００６０】
なお、ｓ２１は上記ｓ１と同じ処理である。
【００６１】
録画装置１は再生終了の指示があったと判断すると、再生動作を終了する。また、ｓ２２でフィルタリング指示があったと判断すると、現在再生しているビットストリームのＰＩＤ情報を記憶する（ｓ２４）。
【００６２】
このフィルタリング指示は、操作部７またはリモコン装置における所定のキー操作により行える。通常、ユーザは番組本編が再生されているときに、このフィルタリング指示のための操作を行う。この場合、ｓ２４において番組本編のＰＩＤ情報が記憶される。録画装置１は、再生しているビットストリームのＰＩＤ情報が、ｓ２４で記憶したＰＩＤ情報と同じであるかどうかを判断し（ｓ２５）、同じであれば再生動作の終了指示の有無を判断する（ｓ２７）。再生位置が番組本編である間は上記ｓ２５においてＰＩＤ情報が同じであると判断される。
【００６３】
一方、再生位置がＣＭになるとＰＩＤ情報が同じでないと判断される。録画装置１は、ｓ２５でＰＩＤ情報が同じでないと判断すると、インデックス記憶エリア３ｂに記憶しているインデックスから、現在の再生位置に対して時間的に前方で、且つＰＩＤ情報がｓ２４で記憶したＰＩＤ情報と同じであるビットストリームの記憶位置を検出し、再生位置をここで検出した位置に移動する（ｓ２６）。ｓ２６で移動される再生位置は、ＣＭから番組本編に切りかわる位置である。録画装置１はフィルタリング指示があると、その後自動的にＣＭをスキップしながら番組本編のみ再生する。
【００６４】
このように、録画装置１は再生位置が番組本編からＣＭになると、上記ｓ２６の処理を実行し、再生位置をＣＭから番組本編に変わる位置に移動するので、番組本編のみ再生し、ＣＭを再生することはない。したがって、ユーザは番組の視聴時に、番組本編が再生されているとき上記フィルタリング操作を一度行うだけで、これ以降番組本編のみ視聴することができる。
【００６５】
さらに、この実施形態の録画装置１は以下に示す編集処理を実行する。この編集処理は、記憶部３の番組記憶エリア３ａに記憶した録画データを編集する処理である。図８はこの編集処理を示すフローチャートである。
【００６６】
録画装置１は編集する録画番組の指定を受け付ける（ｓ３１）。ｓ３１にかかる録画番組の指定は操作部７またはリモコン装置におけるキー操作で行える。録画装置１は、ｓ３１で指定された番組について、インデックス記憶エリア３ｂに記憶されているインデックス情報に基づいて、番組記憶エリア３ａに記憶されている一連の録画データにおけるＰＩＤ情報の変化を示す画面を表示させる映像信号をバックエンド回路６から出力する（ｓ３２）。
【００６７】
なお、バックエンド回路６には、公知のＯＳＤ（Ｏｎ  Ｓｃｒｅｅｎ  Ｄｉｓｐｌａｙ）機能が設けられている。上記ｓ３２はこのＯＳＤ機能を利用して実行される。
【００６８】
ｓ３２では、例えば図９（Ａ）に示す画面を表示させるための映像信号を出力する。具体的には、指定された番組の一連のビットストリームについてＰＩＤ情報の変化を示すブロックに分け、各ブロックの録画時間を示した画面を表示させる映像信号を出力する。
【００６９】
次に、録画装置１は、削除するブロックの指定を受け付ける（ｓ３３）。ユーザは、図９（Ａ）に示した画面からどのブロックが番組本編であり、またどのブロックがＣＭであるかを簡単に判断することができる。ユーザは、ＣＭであるブロックを削除するブロックとして指定する。このブロックの指定も、操作部７またはリモコン装置におけるキー操作で行える。
【００７０】
録画装置１は削除するブロックが指定されると、ＰＩＤ情報が指定されたブロックと同じである他のブロックの表示も反転する（ｓ３４）（図９（Ｂ）参照）。そして、図９（Ｃ）に示す削除確認画面を表示させるための映像信号をバックエンド回路６から出力し（ｓ３５）、削除実行または削除中止の入力を待つ（ｓ３６）。録画装置１は、削除実行が入力されると、番組記憶エリア３ａにおいて反転表示したブロックに対応する記憶位置に記憶されているビットストリームを無効にするとともに、残ったブロックに対応する記憶位置のビットストリームを連続させる削除処理を行う（ｓ３７）。この削除処理を実行することにより、編集指定した番組の録画データからＣＭ部分をカットすることができる（図９（Ｄ）参照）。
【００７１】
なお、録画装置１は削除中止が入力されると、指定されたブロックの削除を中止する（ｓ３８）。
【００７２】
録画装置１は、ｓ３９で編集処理の終了指示があったと判断するまで上記ｓ３１〜ｓ３８の処理を繰り返す。
【００７３】
このように、この実施形態の録画装置１は一連の録画データからＣＭ部分をカットする編集が簡単に行える。また、編集時には、番組の一連のビットストリームをＰＩＤ情報の変化を示すブロックに分け、各ブロックの録画時間を示した画面を表示させるようにしたので、どのブロックが番組本編であり、またどのブロックがＣＭであるかを簡単に判断することができる。これにより、ユーザが戸惑うことなく、削除するブロックを指定することができる。
【００７４】
次に、この発明の別の実施形態について説明する。この実施形態の録画装置１は上記図１に示した構成である。この実施形態の録画装置１は、録画動作が上記実施形態の装置と異なる。図１０は、この実施形態の録画装置の録画動作を示すフローチャートである。
【００７５】
この実施形態の録画装置１は、上記図４に示したｓ１〜ｓ５の録画動作を実行しながら、ｓ４１でフィルタリング指示の有無を判断する。録画装置１はフィルタリング指示があったと判断すると、現在記憶部３の番組記憶エリア３ａに記憶させているビットストリームのＰＩＤ情報を記憶する（ｓ４２）。このフィルタリング指示は、操作部７またはリモコン装置における所定のキー操作により行える。通常、ユーザは番組本編が録画されているときに、このフィルタリング指示のための操作を行う。録画装置１は、ｓ４２で番組本編のＰＩＤ情報を記憶する。
【００７６】
その後、録画装置１はＰＩＤ情報がｓ４２で記憶したＰＩＤ情報と同じであるビットストリームを記憶部３の番組記憶エリア３ａに記憶し（ｓ４３、ｓ４４）、ＰＩＤ情報がｓ４２で記憶したＰＩＤ情報と同じでないビットストリームについては録画動作を停止する（記憶部３の番組記憶エリア３ａに記憶しない。）（ｓ４３、ｓ４５）。
【００７７】
ｓ４３〜ｓ４５の処理は、ｓ４６で録画動作終了の指示があったと判断されるまで、繰り返し実行される。
【００７８】
したがって、記憶部３の番組記憶エリア３ａには、ＰＩＤ情報がｓ４２で記憶したＰＩＤ情報と同じビットストリームが記憶され、同じでないビットストリームについては記憶されない。このため、ユーザが番組本編の録画中に上記フィルタリング指示のための操作を一度だけ行うことで、記憶部３の番組記憶エリア３ａにＣＭのビットストリームが記憶されず、番組本編のビットストリームのみが記憶される。
【００７９】
すなわち、ＣＭ部分をカットして録画することができるので、再生時には番組本編のみが再生される。また、これにより記憶部３の記憶容量を有効に利用することができる。
【００８０】
さらに、この発明の別の実施形態について説明する。この実施形態の録画装置１は上記図１に示した構成である。この実施形態の録画装置１は、録画動作が上記実施形態の装置と異なる。図１１は、この実施形態の録画装置の録画動作を示すフローチャートである。
【００８１】
この実施形態の録画装置１は、上記図４に示したｓ１〜ｓ５の録画動作を実行しながら、ｓ５１で削除指示の有無を判断する。この削除指示は、操作部７またはリモコン装置におけるキー操作により行える。
【００８２】
録画装置１は、削除指示が無いと判断すると上記ｓ２に戻る。一方、削除指示があったと判断すると、番組記憶エリア３ａにおける現在記憶しているビットストリームのＰＩＤ情報に変化した記憶位置を検出する。録画装置１は、ここで検出した記憶位置から現在の記憶位置までに記憶させたビットストリームを削除する（ｓ５２）。そして、録画装置１はフロントエンド回路５から出力されているビットストリームのＰＩＤ情報に変化があるまで録画動作を停止する（ｓ５３、ｓ５４）。
【００８３】
録画装置１は、ｓ５４でＰＩＤ情報に変化があったことを検出すると、インデックス情報を記憶し（ｓ５５）、ｓ２に戻って録画動作を再開する。
【００８４】
上記ｓ５１〜ｓ５４の処理について図１２を参照しながら具体的に説明する。録画装置１は、フロントエンド回路５から出力されているビットストリームを記憶部３の番組記憶エリア３ａに記憶している。
【００８５】
番組本編ではなくＣＭのビットストリームが番組記憶エリア３ａに記憶されているタイミングＴ１において、ユーザが上記削除指示のキー操作を行う。
【００８６】
録画装置１は、ｓ５２で番組本編からこのＣＭに切りかわったタイミングＴ０におけるビットストリームの記憶位置を検出する。そして、ｓ５２でＴ０〜Ｔ１の間に記憶したＣＭのビットストリームを削除する。
【００８７】
なお、ｓ５２では実際にはＴ０〜Ｔ１の間に記憶したビットストリームを削除するのではなく、ビットストリームの記憶位置を番組本編からこのＣＭに切りかわったタイミングＴ０におけるビットストリームの記憶位置に戻す処理である。
【００８８】
録画装置１は、ＰＩＤ情報に変化があるまで、番組記憶エリア３ａへのビットストリームの記憶、すなわち録画、を停止する。次に、ＰＩＤ情報に変化があるのは、ＣＭから番組本編に切り替わるタイミングＴ２である録画装置１は番組本編に切りかわったタイミングＴ２で録画動作を再開する。Ｔ２以降にフロントエンド回路５から出力されたビットストリームは番組本編からこのＣＭに切りかわったタイミングＴ０におけるビットストリームの記憶位置から記憶される。
【００８９】
したがって、この実施形態の録画装置１は、ユーザがＣＭの録画時に削除指示の操作を行うことで、該ＣＭをカットした録画が行える。これにより、記憶部３の記憶容量を有効に利用することができる。
【００９０】
【発明の効果】
以上のように、この発明によれば、録画した番組の再生時に簡単な操作でＣＭをスキップさせることができ、ユーザの操作性を向上させることができる。また、ユーザは落ち着いて再生している番組を視聴することができる。
【００９１】
また、記憶部に録画した番組の編集が行えるので、ＣＭをカットすることで、番組本編のみ再生することができる。
【００９２】
さらに、番組の録画時にＣＭ部分をカットして録画することができるので、記憶部の記憶容量を有効に利用することができる。
【図面の簡単な説明】
【図１】この発明の実施形態である録画装置の構成を示す概略のブロック図である。
【図２】チューナで受信された物理チャンネルの受信ストリームを示す図である。
【図３】この発明の実施形態である録画装置の記憶部の構成を示す図である。
【図４】この発明の実施形態である録画装置の録画動作を示すフローチャートである。
【図５】この発明の実施形態である録画装置の再生動作を示すフローチャートである。
【図６】この発明の実施形態である録画装置の再生動作を説明する図である。
【図７】この発明の実施形態である録画装置の再生動作を説明する図である。
【図８】この発明の実施形態である録画装置の編集処理を示すフローチャートである。
【図９】この発明の実施形態である録画装置の編集処理時における表示装置の表示画面例を示す図である。
【図１０】この発明の別の実施形態である録画装置の録画動作を示すフローチャートである。
【図１１】この発明の別の実施形態である録画装置の録画動作を示すフローチャートである。
【図１２】この発明の別の実施形態である録画装置の録画動作を説明する図である。
【符号の説明】
１−録画装置
２−制御部
３−記憶部
３ａ−番組記憶エリア
３ｂ−インデックス記憶エリア
４−チューナ
５−フロントエンド回路
６−バックエンド回路
７−操作部
８−リモコン受信部
【図１】
0004556356.tif 000002
【図２】
0004556356.tif 000003
【図３】
0004556356.tif 000004
【図４】
0004556356.tif 000005
【図５】
0004556356.tif 000006
【図６】
0004556356.tif 000007
【図７】
0004556356.tif 000008
【図８】
0004556356.tif 000009
【図９】
0004556356.tif 000010
【図１０】
0004556356.tif 000011
【図１１】
0004556356.tif 000012
【図１２】
0004556356.tif 000013